(57)【要約】【課題】足置きの使い勝手がよいキャビネット及び化粧台を提供する。【解決手段】キャビネットは、足置き収納部３６、足置き３７及びロック機構７３を備える。足置き３７は、足置き収納部３６に引出可能に設けられる。ロック機構７３は、足置き収納部３６から引き出された足置き３７が、引出方向と反対方向に移動することを規制する。ロック機構７３は、掛止部、操作部７５及び被掛止部を備える。掛止部は足置き収納部３６に設けられる。操作部７５は足置き３７に対して変位可能に設けられる。被掛止部は、足置き３７が足置き収納部３６から引き出された状態において、操作部７５と連動することで、掛止部に引っ掛かるロック位置と、掛止部から外れるアンロック位置との間で移動可能である。被掛止部は、掛止部に引っ掛けられる断面円弧状の被掛止面を備える。【選択図】図２
2019037593.tif 000002
【特許請求の範囲】
【請求項１】
足置き収納部と、
前記足置き収納部に引出可能に設けられた足置きと、
前記足置き収納部から引き出された前記足置きが、引出方向と反対方向に移動することを規制するロック機構とを備え、
前記ロック機構は、
前記足置き収納部に設けられた掛止部と、
前記足置きに対して変位可能に設けられた操作部と、
前記足置きが前記足置き収納部から引き出された状態において、前記操作部と連動することで、前記掛止部に引っ掛かるロック位置と、前記掛止部から外れるアンロック位置との間で移動可能な被掛止部とを備え、
前記被掛止部は、
前記掛止部に引っ掛けられる、断面円弧状の被掛止面を備えることを特徴とするキャビネット。
【請求項２】
前記掛止部は断面直線状で前記引出方向を向いた掛止面を備え、
前記被掛止部が前記ロック位置から前記アンロック位置まで移動するとき、前記被掛止面は前記掛止面に沿って移動することを特徴とする請求項１に記載のキャビネット。
【請求項３】
前記被掛止部は、
前記被係止面を含む、断面円形の外周面を備え、
前記被掛止部は、
前記足置きが前記足置き収納部から引き出されるときに、前記外周面が前記掛止部に当たって、前記アンロック位置に案内されることを特徴とする請求項１又は請求項２に記載のキャビネット。
【請求項４】
前記足置きは、前記引出方向を前方としたときに、前下がりの足置き面を備えたことを特徴とする請求項１〜３のいずれか１項に記載のキャビネット。
【請求項５】
足置き収納部と、
前記足置き収納部に引出可能に設けられた足置きと、
前記足置き収納部から引き出された前記足置きが、引出方向と反対方向に移動することを規制するロック機構とを備え、
前記ロック機構は、
前記足置き収納部に設けられた掛止部と、
前記足置きに対して変位可能に設けられた操作部と、
前記足置きが前記足置き収納部から引き出された状態において、前記操作部と連動することで、前記掛止部に引っ掛かるロック位置と、前記掛止部から外れるアンロック位置との間で移動可能な被掛止部とを備え、
前記被掛止部は、
前記掛止部に引っ掛けられる、断面円弧状の被掛止面を備えることを特徴とする化粧台。
【請求項６】
洗面ボウルを備え、
前記足置き収納部は、前記洗面ボウルよりも下方に位置することを特徴とする請求項５に記載の化粧台。
【発明の詳細な説明】
【技術分野】
【０００１】
本発明はキャビネット、及び化粧台に関する。
【背景技術】
【０００２】
特許文献１には、洗面化粧台からなるフロアキャビネットが開示されている。このフロアキャビネットは、台輪部と、箱体とを備えている。台輪部には台輪空間が形成されている。箱体は、台輪空間に出し入れ自在に収納される。箱体は、収納箱として利用される。また、箱体は、幼児が洗面化粧台を使用するときの踏み台としても利用される。
【先行技術文献】
【特許文献】
【０００３】
【特許文献１】特開２００７−３０７０４３号公報
【発明の概要】
【発明が解決しようとする課題】
【０００４】
特許文献１には、台輪空間から引き出された箱体の引出方向とは反対方向の移動を規制するロック機構が開示されていない。このため、箱体に対して引出方向とは反対方向の荷重が加わったときには、箱体が動く可能性があり、使い勝手がよくない。
【０００５】
本発明は前記事情に鑑みてなされたものであって、足置きの使い勝手がよいキャビネット及び化粧台を提供することを目的とする。
【課題を解決するための手段】
【０００６】
前記目的を達成するために本発明に係る一態様のキャビネットは、以下の特徴を有する。キャビネットは、足置き収納部と、前記足置き収納部に引出可能に設けられた足置きと、前記足置き収納部から引き出された前記足置きが、引出方向と反対方向に移動することを規制するロック機構とを備える。前記ロック機構は、掛止部、操作部及び被掛止部を備える。前記掛止部は、前記足置き収納部に設けられる。前記操作部は、前記足置きに対して変位可能に設けられる。前記被掛止部は、前記足置きが前記足置き収納部から引き出された状態において、前記操作部と連動することで、前記掛止部に引っ掛かるロック位置と、前記掛止部から外れるアンロック位置との間で移動可能である。前記被掛止部は、前記掛止部に引っ掛けられる、断面円弧状の被掛止面を備える。
【０００７】
また、本発明に係る一態様の化粧台は、以下の特徴を有する。化粧台は、足置き収納部と、前記足置き収納部に引出可能に設けられた足置きと、前記足置き収納部から引き出された前記足置きが、引出方向と反対方向に移動することを規制するロック機構とを備える。前記ロック機構は、掛止部、操作部及び被掛止部を備える。前記掛止部は、前記足置き収納部に設けられる。前記操作部は、前記足置きに対して変位可能に設けられる。前記被掛止部は、前記足置きが前記足置き収納部から引き出された状態において、前記操作部と連動することで、前記掛止部に引っ掛かるロック位置と、前記掛止部から外れるアンロック位置との間で移動可能である。前記被掛止部は、前記掛止部に引っ掛けられる、断面円弧状の被掛止面を備える。
【発明の効果】
【０００８】
本発明に係る一態様のキャビネット及び化粧台は、足置きの使い勝手をよくすることができる。
【図面の簡単な説明】
【０００９】
【図１】図１は、本発明に係る一実施形態の洗面化粧ユニットを設置した状態を示した斜視図である。
【図２】図２は、同上の洗面化粧ユニットが備える第１化粧台の斜視図である。
【図３】図３Ａ及び図３Ｂは、第１化粧台の右側の側板の図示を省略した右側面図である。図３Ａは第１化粧台の足置きを引き出した状態を示した図である。図３Ｂは前記足置きを収納した状態を示した図である。
【図４】図４は、同上の足置きの上前板の断面図である。
【図５】図５Ａ及び図５Ｂは、第１化粧台の右側の側板の図示を省略した要部の右側面図である。図５Ａは同上の足置きをロック機構によりロックした状態を示した図である。図５Ｂは同上の足置きのロック機構によるロックを解除した状態を示した図である。図５Ｃは、図５ＡのＡ部拡大図である。
【発明を実施するための形態】
【００１０】
以下、添付図面に基づき、実施形態について説明する。以下に示す実施形態は、キャビネット及び化粧台に関し、詳しくは、足置きを備えたキャビネット及び化粧台に関する。
【００１１】
本実施形態のキャビネット２は、フロアキャビネットであって、図１に示す洗面化粧ユニット１のキャビネットとして用いられる。本実施形態のキャビネット２は、化粧をする際に用いられる化粧台であり、より詳しくは化粧及び洗面をする際に用いられる洗面化粧台である。
【００１２】
キャビネット２は、２つの化粧台２１，２２を備えている。以下、必要に応じて、２つの化粧台２１，２２のうちの一方を第１化粧台２１といい、他方を第２化粧台２２という。
【００１３】
キャビネット２が設置される部屋は、例えば、図１に示すように、２つの壁９１，９２を備えている。以下、２つの壁９１，９２のうちの一方を第１壁９１といい、他方を第２壁９２という。
【００１４】
第１壁９１と第２壁９２とは、平面視において直角に交わっている。図１に示す例では、第１化粧台２１は第１壁９１に沿って配置され、第２化粧台２２は第２壁９２に沿って配置されている。これら第１化粧台２１と第２化粧台２２とは、平面視においてＬ字状に連続するように配置されている。
【００１５】
以下、洗面化粧ユニット１の各構成につき、図１に示すように設置された状態における方向を用いて説明する。具体的には第１壁９１から第１化粧台２１に向かう方向を前方と定義する。また、第１化粧台２１から第１壁９１に向かう方向を後方と定義する。また、洗面化粧ユニット１を前方から見たときを基準にして左右方向を定義する。
【００１６】
第１化粧台２１は、洗面ボウル３０を備えた化粧台（すなわち、洗面化粧台）であり、第２化粧台２２は、洗面ボウルを備えていない化粧台である。各化粧台２１，２２は、キャビネット本体３１，３２と、キャビネット本体３１，３２上に設けられたカウンター４１，４２とを備えている。
【００１７】
以下、必要に応じて、第１化粧台２１のキャビネット本体３１を第１キャビネット本体３１といい、第２化粧台２２のキャビネット本体３２を第２キャビネット本体３２という。また、第１化粧台２１のカウンター４１を第１カウンター４１といい、第２化粧台２２のカウンター４２を第２カウンター４２という。
【００１８】
各キャビネット本体３１，３２は、床９３に設置されている。各キャビネット本体３１，３２は、箱状に形成されている。各キャビネット本体３１，３２は、例えば木製である。各キャビネット本体３１，３２には、化粧用品及び洗面用品等の物品（以下、「物品」という）を出入可能に収納するための物品収納部５４，５５が形成されている。
【００１９】
第１キャビネット本体３１の物品収納部５４は、前方に開口した凹状に形成されている。物品収納部５４の内部には、物品を収納可能な物品収納空間５４０が形成されている。物品収納部５４の前端部には、開口部５４１が形成されている。物品収納空間５４０は、開口部５４１から前方（第１壁９１とは反対側に向かう方向）に開放されている。利用者は開口部５４１から物品収納空間５４０に物品を出し入れすることができる。本実施形態の第１化粧台２１は、開口部５４１を閉塞する扉等の閉塞部材を備えていない。
【００２０】
第１化粧台２１の上面は、第１カウンター４１の上面で構成されている。第１カウンター４１は、第１キャビネット本体３１で支持されている。
【００２１】
第１カウンター４１は例えば樹脂製である。第１カウンター４１は、板状であって、平面視において左右方向に延びた矩形状に形成されている。第１化粧台２１は、第１カウンター４１の後端が第１壁９１に沿い、かつ第１カウンター４１の左端が第２壁９２に沿った状態で、床９３に設置されている。
【００２２】
第１カウンター４１には、洗面ボウル３０が設けられている。本実施形態の洗面ボウル３０は、第１カウンター４１と一体に形成されており、第１カウンター４１の上面に形成された凹部によって構成されている。本実施形態の洗面ボウル３０は、第１カウンター４１における右側半部に形成されている。
【００２３】
本実施形態の第１化粧台２１は、水栓３３をさらに備えている。水栓３３は、洗面ボウル３０に設けられている。
【００２４】
本実施形態の第１カウンター４１において洗面ボウル３０よりも左側（第２壁９２側）の部分は、物品載置部３４となっている。物品載置部３４の上面は平坦な面である。このため、利用者は、物品載置部３４に物品を安定して置くことができる。
【００２５】
本実施形態の第１キャビネット本体３１は、洗面ボウル３０の下方に位置しており、物品載置部３４の下方には位置していない。
【００２６】
第１化粧台２１の物品載置部３４の下方には、物品載置部３４、第１キャビネット本体３１、第１壁９１、第２壁９２及び床９３によって囲まれ、前方に開放された第１空間６１が形成されている。
【００２７】
本実施形態の洗面化粧ユニット１は、鏡１０を備えている。鏡１０は、第１壁９１において第１カウンター４１よりも上方の部分に取り付けられている。利用者は、鏡１０を見ながら、第１化粧台２１を利用することができる。
【００２８】
第２キャビネット本体３２の物品収納部５５には、物品を収納するための物品収納空間５５０が形成されている。物品収納部５５には、物品収納空間５５０を第２壁９２とは反対側（右側）に向かって開放する開口部５５１が形成されている。利用者は開口部５５１から物品収納空間５５０に物品を出し入れすることができる。本実施形態の開口部５５１は、第２化粧台２２が備えた開閉可能な扉３５によって覆われる。
【００２９】
第２化粧台２２の上面は、第２カウンター４２の上面で構成されている。第２カウンター４２は、第２キャビネット本体３２で支持されている。
【００３０】
第２カウンター４２は、板状であって、平面視において前後方向に延びた矩形状に形成されている。第２化粧台２２は、第２カウンター４２の左端が第２壁９２に沿い、かつ第２カウンター４２の後端が第１壁９１に沿った状態で、床９３に設置されている。第２カウンター４２の第１壁９１側（後側）の端部は、第１空間６１に収納されている。第２カウンター４２は、第１カウンター４１よりも下方に配置されている。
【００３１】
第２キャビネット本体３２は、第２カウンター４２の第１壁９１とは反対側（前側）の端部の下方に位置している。第２化粧台２２は、第２カウンター４２の第１壁９１側の端部を支持する脚部（図示せず）を備えている。脚部は第１空間６１に配置され、床９３に設置されている。
【００３２】
第２カウンター４２において第２キャビネット本体３２よりも第１壁９１側に位置する部分の下方には、第２カウンター４２、第２キャビネット本体３２、第１壁９１、第２壁９２及び床９３によって囲まれた第２空間６２が形成されている。第２空間６２は第２壁９２とは反対側（右側）に向かって開放されている。
【００３３】
本実施形態の洗面化粧ユニット１は、第２空間６２に出入可能に収納される椅子１１を備えている。利用者は、椅子１１を第２空間６２から引き出し、この椅子１１に座って、第１化粧台２１及び第２化粧台２２を利用することができる。利用者は、例えば、第２空間６２から引き出された椅子１１に座り、第２空間６２に両脚を入れた状態で、化粧及び洗面を行うことができる。
【００３４】
本実施形態の洗面化粧ユニット１は、ミラーキャビネット１２を備えている。ミラーキャビネット１２は、第２壁９２において第２化粧台２２よりも上方の部分に取り付けられている。利用者は、ミラーキャビネット１２に物品を収納することができる。利用者は、ミラーキャビネット１２の前面を構成する鏡（鏡扉）１３を見ながら、第２化粧台２２を利用することができる。
【００３５】
キャビネット２は、図２に示す、足置き収納部３６と、足置き収納部３６に引出可能に設けられた足置き３７とを備えている。利用者は、足置き収納部３６から足置き３７を引き出して足置き３７を利用することができ、また、足置き３７を後方に押し込んで足置き収納部３６に収納することができる。利用者は、例えば椅子１１（図１参照）に座り、足置き収納部３６から引き出された足置き３７に足を置いた状態で、ペディキュアをしたり、脚にボディクリームを塗ったりすることができる。
【００３６】
図２に示すように、本実施形態の足置き収納部３６は、第１化粧台２１に設けられている。第１化粧台２１の第１キャビネット本体３１は、一対の側板３８，３８、背板４０（図３Ａ参照）、幕板４３及び蹴込板４４を備えている。
【００３７】
第１キャビネット本体３１の左右の側面は、一対の側板３８，３８の外面でそれぞれ構成されている。一対の側板３８，３８は左右方向に離れて位置しており、対向している。各側板３８は側面視矩形状で左右方向に直交する鉛直な板である。
【００３８】
第１キャビネット本体３１の後面は、図３Ａに示す背板４０の後面で構成されている。背板４０は正面視矩形状で前後方向に直交する鉛直な板である。背板４０の左右両端部は、一対の側板３８，３８の後端部にそれぞれ接続されている。
【００３９】
第１キャビネット本体３１の前面は、幕板４３の前面と蹴込板４４の前面とで構成されている。幕板４３は正面視矩形状で前後方向に直交する鉛直な板である。幕板４３は第１キャビネット本体３１の上端部に位置している。幕板４３の左右両端部は、一対の側板３８，３８の前端の上端部にそれぞれ接続されている。
【００４０】
蹴込板４４は正面視矩形状で前後方向に直交する鉛直な板である。蹴込板４４は第１キャビネット本体３１の下端部に位置している。蹴込板４４の左右両端部は、一対の側板３８，３８の前端の下端部にそれぞれ接続されている。第１キャビネット本体３１には、一対の側板３８，３８、背板４０、幕板４３及び蹴込板４４で囲まれた内部空間が形成されている。
【００４１】
第１キャビネット本体３１は、複数の横板７１，７２及び複数の縦板８１，８２をさらに備えている。第１キャビネット本体３１の内部空間は、複数の横板７１，７２及び複数の縦板８１，８２によって仕切られている。
【００４２】
本実施形態の第１キャビネット本体３１は、複数の横板７１，７２として、第１横板７１と、第２横板７２とを備えている。
【００４３】
第１横板７１及び第２横板７２の各々は、平面視矩形状の水平な板である。第１横板７１及び第２横板７２は、一対の側板３８，３８の間に配置されている。第１横板７１及び第２横板７２は、背板４０の前方に間隔をあけて配置されており、第１キャビネット本体３１の前部に位置している。
【００４４】
第１横板７１は幕板４３よりも下方に位置している。第１横板７１の左右両端部は、一対の側板３８，３８にそれぞれ接続されている。
【００４５】
第２横板７２は第１横板７１の下方に間隔をあけて配置されている。第２横板７２の前端部は、蹴込板４４の上方に配置されている。第２横板７２の下面は蹴込板４４の上端面に接している。第２横板７２の左右両端部は、一対の側板３８，３８にそれぞれ接続されている。
【００４６】
本実施形態の第１キャビネット本体３１は、複数の縦板８１，８２として、第１縦板８１と、第２縦板８２とを備えている。第１縦板８１及び第２縦板８２の各々は、正面視矩形状で前後方向に直交した鉛直な板である。第１縦板８１及び第２縦板８２は、一対の側板３８，３８の間に配置されている。第１縦板８１及び第２縦板８２は、第１キャビネット本体３１の前後方向における中間部に位置している。
【００４７】
第１縦板８１は第１横板７１の後部の上方に配置されている。第１縦板８１の下端面は第１横板７１の上面に接している。第１縦板８１の左右両端部は、一対の側板３８，３８にそれぞれ接続されている。
【００４８】
第１キャビネット本体３１の内部には、第１縦板８１及び第２縦板８２の後方に位置し、背板４０、一対の側板３８，３８、第１縦板８１及び第２縦板８２で囲まれた設備用空間４５が形成されている。設備用空間４５には、水栓３３に接続された給水管（図示せず）及び洗面ボウル３０の排水口３９に接続された排水管９８等が配置されている。
【００４９】
前述した物品収納部５４は、一対の側板３８，３８、第１縦板８１及び第１横板７１で構成されている。物品収納部５４の左右の内側面は、一対の側板３８，３８の内面でそれぞれ構成されている。物品収納部５４の奥面は、第１縦板８１の前面で構成されており、物品収納部５４の底面は、第１横板７１の上面で構成されている。
【００５０】
物品収納部５４の内側には、一対の側板３８，３８、第１縦板８１及び第１横板７１で囲まれた物品収納空間５４０が形成されている。物品収納空間５４０は、第１横板７１の前端部と幕板４３との間に形成された開口部５４１を通じて前方に開放されている。利用者は、物品を開口部５４１を通じて物品収納空間５４０に入れ、第１横板７１に載せることで、物品収納空間５４０に物品を収納することができる。この場合、第１横板７１は棚板として利用される。
【００５１】
前述した足置き収納部３６は、一対の側板３８，３８、背板４０、第１横板７１及び第２横板７２で構成されており、前方に開口している。
【００５２】
足置き収納部３６の左右の内側面は、一対の側板３８，３８の内面でそれぞれ構成されている。足置き収納部３６の底面は、第２横板７２の上面で構成されており、足置き収納部３６の天面は、第１横板７１の下面で構成されている。
【００５３】
足置き収納部３６の内側には、一対の側板３８，３８、第１横板７１及び第２横板７２で囲まれ、前方に開放された足置き収納空間４６が形成されている。
【００５４】
足置き収納部３６には、足置き３７が引出可能に設けられている。足置き３７は、図３Ｂに示す収納位置と、図３Ａに示す引出位置との間で、前後方向に移動可能である。
【００５５】
足置き３７が図３Ｂに示す収納位置に配置されたとき、足置き３７は足置き収納部３６（足置き収納空間４６）に収納される。足置き３７が図３Ａに示す引出位置に配置されたとき、足置き３７は、足置き収納部３６（足置き収納空間４６）から前方に突出する。
【００５６】
本実施形態の足置き３７は、図２から明らかなように、長手方向が左右方向と平行である。また、足置き３７の左右方向の長さは、一対の側板３８，３８間の距離と略同じであり、足置き３７は足置き収納空間４６の左右方向の略全長に亘る。本実施形態の足置き３７には、利用者の両足を置くことができる。本実施形態の足置き３７は、図３Ｂに示すように足置き収納空間４６の上端部に収納される。
【００５７】
図３Ａに示すように、第２縦板８２は、第１横板７１の後端部の下方でかつ第２横板７２の後端部の上方に位置している。第２縦板８２の下端面は、第２横板７２の上面に接している。第２縦板８２の左右両端部は、一対の側板３８，３８にそれぞれ接続されている。
【００５８】
図３Ｂに示すように、足置き３７は、足置き収納空間４６において第２縦板８２よりも上方に位置する空間に収納される。足置き収納空間４６において、足置き３７よりも下方に位置し、かつ第２縦板８２の前方に位置する領域４７は、物品を収納するための収納空間として利用される。すなわち、利用者は、物品を領域４７に入れて第２横板７２に載せることで、領域４７に物品を収納することができる。この場合、第２横板７２は棚板として利用される。
【００５９】
本実施形態の足置き３７は、図２に示す上後板４８、上前板４９及び左右一対の端板５６，５６を備えている。足置き３７の上面は上後板４８の上面と上前板４９の上面とで構成されている。足置き３７の左右の側面は、左右の端板５６，５６の外面でそれぞれ構成されている。
【００６０】
上後板４８は平面視矩形状で第１横板７１の下面に沿った水平な板状に形成されている。上後板４８の左右両端部は、左右の端板５６，５６にそれぞれ接続されている。
【００６１】
上前板４９は上後板４８の前方に位置しており、上後板４８と隣接している。本実施形態の上前板４９は、樹脂製である。
【００６２】
上前板４９は概ね前下がりで傾斜している。上前板４９の左右両端部は、左右の端板５６，５６にそれぞれ接続されている。本実施形態の上前板４９の上面は、左右方向と直交する断面の形状が、上前板４９の左右方向の全長に亘って同じである。
【００６３】
図４に示すように、上前板４９の上面は、利用者の足が置かれる、前下がりの足置き面５０を有している。本実施形態の足置き面５０は、上前板４９の上面における前端部よりも後方の部分で構成されている。
【００６４】
本実施形態の足置き面５０は、足置き面５０の前端ａ１と後端ａ２との間の部分が、前端ａ１と後端ａ２とを結ぶ仮想平面Ｐよりも上方に張り出すように形成されている。
【００６５】
本実施形態の足置き面５０は、足置き面５０の後端ａ２から前端ａ１に向かって順に並んだ、第１部分５１、第２部分５２及び第３部分５３で構成されている。
【００６６】
足置き面５０の後端部は、第１部分５１で構成されている。第１部分５１は水平な面である。図２に示すように第１部分５１は、上後板４８の上面と同じ高さに位置し、上後板４８の上面と面一である。
【００６７】
図４に示すように足置き面５０の前後方向の中間部は、第２部分５２で構成されている。第２部分５２は前端に近い部分ほど下方に位置するように前下がりで傾斜した傾斜面である。第２部分５２は稜が形成されないように弧状の曲面を介して第１部分５１に繋がっている。第２部分５２は第１部分５１に連続した面である。
【００６８】
足置き面５０の前端部は、第３部分５３で構成されている。第３部分５３は前下がりで傾斜した傾斜面である。第３部分５３は、第２部分５２よりも水平に対する傾斜角度が大きく、第２部分５２と比較して急峻である。第３部分５３は稜が形成されないように弧状の曲面を介して第２部分５２に繋がっている。第３部分５３は第２部分５２に連続した面である。
【００６９】
本実施形態の上前板４９の上面は、足置き面５０の前端部（第３部分５３）の前方に位置する踵受け面５８を備えている。踵受け面５８は、上前板４９の上面の前端部で構成されている。踵受け面５８は、側方から見て下方に窪んだ弧状の曲面であり、前後方向の中央に近い部分ほど下方に位置している。
【００７０】
踵受け面５８は稜が形成されないように足置き面５０の第３部分５３に繋がっている。踵受け面５８は第３部分５３に連続した面である。
【００７１】
上前板４９は、平均的な大きさの足を有する利用者の踵９４が踵受け面５８に載り、かつ足裏の踵９４よりも足先側に位置する部分の略全体が、足置き面５０に密着して載るように設計される。特に足置き面５０は、足指９６が第１部分５１に載り、足裏における踵９４と足指９６との間のアーチ状部分（土踏まず）９５が、第２部分５２及び第３部分５３に載るように設計される。
【００７２】
キャビネット２は、図２に示す引出機構６３を備えている。引出機構６３は、足置き収納部３６に設けられ、足置き３７を引出可能に支持する。
【００７３】
本実施形態の引出機構６３は、スライドレール機構であり、足置き３７が前後方向に往復直線運動できるように足置き３７を支持している。
【００７４】
引出機構６３は、第１キャビネット本体３１の左右の側板３８，３８にそれぞれ取り付けられた左右一対のスライドレール６４を備えている。なお、左右のスライドレール６４のうちの左側のスライドレールは、図示されていないが、右側のスライドレール６４と同様の構造である。
【００７５】
図３Ａに示すように、各スライドレール６４は、固定レール６６と移動レール６７とを備えている。
【００７６】
固定レール６６は、第１キャビネット本体３１の対応する側板３８の内面に固定されている。移動レール６７は、足置き３７の対応する端板５６の外面に固定されており、対応する固定レール６６によって前後方向に移動可能に支持されている。
【００７７】
本実施形態のスライドレール６４は、３段引きのスライドレールである。すなわち、移動レール６７は、固定レール６６に移動可能に支持された第１レール６７１と、第１レール６７１に移動可能に支持され足置き３７に固定された第２レール６７２とを備えている。
【００７８】
本実施形態のキャビネット２は、引出位置に配置された足置き３７が引出方向となる前方（収納位置と反対側）に移動することを規制するストッパー６８を備えている。
【００７９】
ストッパー６８は、足置き収納部３６に設けられている。本実施形態の足置き収納部３６には、左右一対のストッパー６８が設けられている。なお、左右のストッパー６８のうち、左側のストッパーは図示されていないが、右側のストッパー６８と同様の構造である。一対のストッパー６８は、左右の側板３８，３８にそれぞれ設けられている。
【００８０】
本実施形態の各ストッパー６８は、図５Ｂに示すように、円筒状に形成されている。各ストッパー６８は、対応する側板３８の内面にねじ７０で取り付けられており、当該側板３８から内側方に突出している。各ストッパー６８は、例えば樹脂製である。なお、各ストッパー６８は、例えば、側板３８の内面に取り付けられた金具等にねじで取り付けられることで、側板３８よりも内側に離れた位置に設けられてもよい。
【００８１】
一方、足置き３７は、引出位置に配置されたときに一対のストッパー６８に当たって、引出方向となる前方への移動が規制される当接部６９を備えている。本実施形態の当接部６９は、足置き３７の左右の端板５６，５６の各々に形成されており、下方に突出している。各当接部６９は、対応するストッパー６８の後方に位置し、足置き３７が引出位置まで引き出されたとき、対応するストッパー６８の後面に当たる。これにより、引出位置に配置された足置き３７は、それ以上前方に移動できない状態となり、足置き収納部３６から前方に脱落することが抑制される。
【００８２】
キャビネット２は、足置き収納部３６から引き出された足置き３７が、引出方向と反対方向（後方）に移動することを規制するロック機構７３を備えている。
【００８３】
ロック機構７３は、掛止部７４、操作部７５及び被掛止部７６を備えている。掛止部７４は足置き収納部３６に設けられている。操作部７５は足置き３７に対して変位可能に設けられている。被掛止部７６は操作部７５に繋がっている。被掛止部７６は、足置き３７が足置き収納部３６から引き出された状態において、操作部７５と連動することで、図５Ａに示すロック位置と、図５Ｂに示すアンロック位置とに移動する。被掛止部７６が図５Ａに示すロック位置に移動したとき、被掛止部７６は掛止部７４に引っ掛かる。被掛止部７６が図５Ｂに示すアンロック位置に移動したとき、被掛止部７６は、掛止部７４から外れる。
【００８４】
本実施形態のロック機構７３は、足置き収納部３６に設けられた左右一対の掛止部７４を備えている。なお、左右の掛止部７４のうち、左側の掛止部は図示されていないが、右側の掛止部と同様の構造である。一対の掛止部７４の各々は、例えば、金属板から形成される。
【００８５】
左右の掛止部７４は、第１横板７１の左右両端部の下方に位置しており、第１横板７１の下面に沿って配置されている。各掛止部７４の前後両端部は、ねじ等の固着具により第１横板７１に固着されている。
【００８６】
各掛止部７４の前後方向の中間部は、下方に突出するように屈曲した突出部分７７となっている。各掛止部７４の突出部分７７は、前後方向に対して垂直な板状の縦片部７８と、縦片部７８の下端部から後斜め上方に向かって延びた板状の斜片部７９とを備えている。縦片部７８の前面と斜片部７９の下面とは、稜が形成されないように弧状の曲面を介して繋がっており、連続している。
【００８７】
各掛止部７４は、被掛止部７６が引っ掛けられる掛止面８０と、被掛止部７６を案内する案内面８８とを備えている。本実施形態の掛止面８０は、縦片部７８の前面で構成されており、左右方向と直交する断面形状が直線状である。
【００８８】
また、本実施形態の案内面８８は、斜片部７９の下面である。すなわち、案内面８８は、後端に近い部分ほど上方に位置するように水平方向に対して傾斜しており、左右方向と直交する断面形状が直線状である。  本実施形態のロック機構７３は、足置き３７に設けられた操作部材８３を備えている。図２から明らかなように、本実施形態の操作部材８３は、平面視で足置き３７を囲むようにＵ字状に形成されている。操作部材８３の形状は、左右対称である。操作部材８３は、操作部７５と、左右一対の連結部８４，８４とを備えている。
【００８９】
操作部材８３の操作部７５は、利用者がロック機構７３による足置き３７の移動の規制とこの規制の解除を行う際に、利用者によって操作される部分である。本実施形態の操作部７５は、左右方向に延びた直線状に形成されており、足置き３７の前端部（上前板４９の前端部）の前方に配置される。
【００９０】
左右の連結部８４，８４は、操作部７５の左右両端部からそれぞれ後斜め上方に延びている。各連結部８４は、足置き３７の対応する端板５６の外面に沿って配置されている。
【００９１】
各連結部８４の長さ方向の中間部は、対応する端板５６に対して左右軸回り方向に回転可能に連結されており、操作部材８３は足置き３７に対して上下に回転可能である。ここで、左右軸回り方向とは、左右方向と平行な回転軸を中心に回転する方向である。
【００９２】
図５Ｂに示すように、操作部材８３の各連結部８４の後端部には、被掛止部７６が設けられている。なお、左右の連結部８４の各々に設けられた被掛止部７６のうち、左側の連結部８４に設けられた被掛止部は図示されていないが、右側の連結部８４に設けられた被掛止部７６と同様の構造である。各被掛止部７６は対応する連結部８４から外側方に突出している。
【００９３】
本実施形態の各被掛止部７６は、図５Ｃに示すように、円筒状部８７と、円筒状部８７の内側に通されたねじ８５とを備えている。円筒状部８７は、ねじ８５が対応する連結部８４にねじ込まれることで、対応する連結部８４に固定されている。各被掛止部７６の円筒状部８７は、例えば樹脂製である。
【００９４】
各被掛止部７６の外周面は、円筒状部８７の外周面で構成されており、左右方向と直交する断面形状が円形である。各被掛止部７６の円筒状部８７の外周面の後部は、対応する掛止部７４の掛止面８０に引っ掛けられる被掛止面７６０を構成している。被掛止面７６０の左右方向と直交する断面形状は、後方に凸となる円弧状である。
【００９５】
操作部材８３は、操作部７５が上下に動かされることにより、各連結部８４の長さ方向の中間部を中心にして上下に回転する。足置き３７が引出位置に配置された状態において、操作部材８３が回転することで、各被掛止部７６はロック位置とアンロック位置との間で移動する。
【００９６】
本実施形態では、各被掛止部７６が図５Ａに示すロック位置に配置されたとき、各被掛止部７６は掛止面８０の前方に位置して掛止面８０に沿う。また、各被掛止部７６が図５Ｂに示すアンロック位置に配置されたとき、各被掛止部７６は掛止面８０よりも下方に配置される。
【００９７】
各連結部８４は、両被掛止部７６が図５Ａに示すロック位置に配置された状態において、回転中心よりも後方の部分が水平となり、かつ回転中心よりも前方の部分が前下がりとなるように屈曲している。
【００９８】
本実施形態の操作部材８３の左右の被掛止部７６を含めた重心は、操作部材８３の回転中心よりも前方に位置している。このため、操作部材８３は、重力以外の外力が加わっていない状態において、各被掛止部７６がロック位置に移動する方向に回転する。
【００９９】
操作部材８３の回転範囲は、所定の範囲に制限されている。本実施形態では、各被掛止部７６が図５Ａに示すロック位置に配置されている状態において、操作部材８３に対して各被掛止部７６が上方に動く方向に力が加わったとき、各被掛止部７６は対応する掛止部７４の前端部の下面に当たる。これにより、操作部材８３は、各被掛止部７６がアンロック位置とは反対側（上側）に向かう方向に回転することが規制される。
【０１００】
本実施形態では、足置き３７の各端板５６の外面に回転規制部材８６が取り付けられている。各被掛止部７６が図５Ｂに示すアンロック位置に配置された状態において、操作部材８３に対して各被掛止部７６が下方に動く方向に力が加わったとき、各連結部８４の回転中心よりも後方の部分は、対応する回転規制部材８６の上面に当たる。これにより、操作部材８３は、各被掛止部７６がロック位置とは反対側（下側）に向かう方向に回転することが規制される。
【０１０１】
本実施形態では、足置き３７が図３Ｂに示す収納位置に配置されたとき、足置き３７の全体及び操作部材８３の全体が、足置き収納部３６に収納される。
【０１０２】
本実施形態では、足置き３７が図３Ａに示す引出位置に配置されたとき、足置き３７の前部が、幕板４３よりも前方に突出する。このとき、図２に示すように、上前板４９の後端と、この後方に位置する第１横板７１との間は、第１横板７１と平行な上後板４８によって覆われる。
【０１０３】
利用者は、足置き３７が図３Ｂに示す収納位置に配置されて足置き収納部３６に収納された状態において、足置き３７又は操作部材８３の操作部７５を掴んで前方に引くことで、足置き３７を図３Ａに示す引出位置まで移動することができる。
【０１０４】
図３Ｂに示す収納位置に配置された足置き３７が、前方の引き出し位置まで動かされたとき、各被掛止部７６は対応する掛止部７４の突出部分７７の下方を通過して図５Ｂに示すアンロック位置に配置される。このとき、足置き３７は、各被掛止部７６がアンロック位置よりも上方に位置した状態で、前方に引き出される。また、このとき、各被掛止部７６は、円筒状部８７の外周面の前部が、対応する掛止部７４の案内面８８に当たって下方に動かされ、図５Ｂに示すアンロック位置に案内される。
【０１０５】
足置き３７が引出位置に配置されて、各被掛止部７６が図５Ｂに示すアンロック位置に配置されたとき、操作部材８３は、自重又は利用者により操作されることにより各被掛止部７６がロック位置に移動する方向に回転する。
【０１０６】
このように操作部材８３が回転すると、操作部材８３の各連結部８４に設けられた被掛止部７６は、対応する掛止部７４の掛止面８０に沿って上方に移動し、図５Ａに示すロック位置に配置される。このとき、各被掛止部７６は、被掛止面７６０が、対応する掛止部７４の掛止面８０に沿って上方に移動するが、被掛止面７６０は断面円弧状であるため、被掛止面７６０は掛止面８０に対して線状に接触する。このため、被掛止部７６の掛止面８０に対する摩擦抵抗が小さくなる。また、被掛止面７６０は断面円弧状であるため、操作部材８３が多少がたつく等した場合も、被掛止面７６０は掛止面８０に対して線接触しやすくなる。従って、各被被掛止部７６はスムーズに移動しやすい。
【０１０７】
各被掛止部７６がロック位置に配置された状態において、足置き３７が後方に動こうとしたとき、各被掛止部７６は、断面円弧状の被掛止面７６０の一部が、対応する掛止面８０に線接触した状態で、対応する掛止部７４に引っ掛かる。これにより、足置き３７の後方への移動が規制（ロック）される。なお、各被掛止部７６は、利用者が操作部材８３の操作部７５を下方に動かして操作部材８３を回転することにより、アンロック位置からロック位置に動かされてもよい。
【０１０８】
上記のように足置き３７の後方への移動が規制されることで、例えば利用者が足置き３７に足を置いたときに、利用者から足置き３７に対して後向きの成分を含む荷重が加わったとしても、足置き３７が後方に動き難くなる。
【０１０９】
足置き３７が引出位置に配置されて、各被掛止部７６が図５Ａに示すロック位置に配置されているとき、利用者は操作部材８３の操作部７５を上方に動かして操作部材８３を回転することで、ロック機構７３による足置き３７の移動の規制を解除することができる。
【０１１０】
このように操作部材８３が回転すると、操作部材８３の各連結部８４に設けられた被掛止部７６は、対応する掛止部７４の掛止面８０に沿って下方に移動し、図５Ｂに示すアンロック位置に配置される。このとき、各被掛止部７６の被掛止面７６０は、対応する掛止部７４の掛止面８０に沿って下方に移動し、この後、掛止面８０から外れる。この場合も被掛止面７６０は、掛止面８０に対して線状に接触するため、被掛止部７６の掛止面８０に対する摩擦抵抗は小さくなる。
【０１１１】
上述のように各被掛止部７６がアンロック位置に配置されることで、各被掛止部７６は対応する掛止部７４から外れ、足置き３７は後方に移動可能になる。
【０１１２】
利用者は、足置き３７が引出位置に配置されて各被掛止部７６が図５Ｂに示すアンロック位置に配置されているとき、操作部材８３の操作部７５又は足置き３７を後方に押すことで、足置き３７を図３Ｂに示す収納位置まで移動することができる。これにより、利用者は足置き３７を足置き収納部３６に収納することができる。
【０１１３】
前記実施形態のキャビネット２は、適宜設計変更可能である。例えば、被掛止部７６の外周面は、断面円形である必要はなく、断面円弧状の被掛止面７６０を一部にのみ含む形状であってもよい。
【０１１４】
また、ロック機構７３が備える掛止部７４及び被掛止部７６の各々の数は、限定されず、例えば１つであってもよい。また、掛止部７４の材質は、金属に限られず、例えば樹脂であってもよい。また、被掛止部７６の材質は樹脂に限られず、例えば金属であってもよい。
【０１１５】
また、上前板４９の材料は樹脂に限られず、例えば金属であってもよい。また、足置き３７の形状は特に制限されない。例えば、足置き３７は水平又は前上がりの足置き面を有してもよい。
【０１１６】
また、ストッパー６８は、例えば左右方向と平行な回転軸を中心に回転可能なローラーであってもよい。
【０１１７】
また、スライドレール６４は、移動レール６７が１本のレールで構成されたシングルスライドレールであってもよい。また、引出機構６３はスライドレール機構に限られない。例えば、引出機構６３は、足置き３７及び足置き収納部３６のうちの一方に設けられる凹部と他方に設けられて凹部にスライド可能に嵌まる突部とで構成されてもよい。
【０１１８】
また、本実施形態の足置き３７は、足置き収納部３６から前方に引出可能に設けられているが、足置き３７の引出方向は前方に制限されない。例えば足置き３７は、足置き収納部３６から左方又は右方に引出可能に設けられてもよい。
【０１１９】
また、洗面ボウル３０は、第１カウンター４１とは別の部材であってもよい。また、キャビネット２は、例えば一つの化粧台で構成されてもよい。この場合、化粧台は洗面ボウル３０を備えた化粧台（洗面化粧台）であってもよいし、洗面ボウル３０を備えない化粧台であってもよい。また、この化粧台は、台と一体に設けられた鏡を備えてもよい。
【０１２０】
また、キャビネット２は、調理台、流し台又は、棚等の他のキャビネットであってもよい。
【０１２１】
以上説明した実施形態のキャビネット２は、以下の特徴を有する。キャビネット２は、足置き収納部３６、足置き３７及びロック機構７３を備える。足置き３７は、足置き収納部３６に引出可能に設けられる。ロック機構７３は、足置き収納部３６から引き出された足置き３７が、引出方向と反対方向に移動することを規制する。ロック機構７３は、掛止部７４、操作部７５及び被掛止部７６を備える。掛止部７４は足置き収納部３６に設けられる。操作部７５は足置き３７に対して変位可能に設けられる。被掛止部７６は、足置き３７が足置き収納部３６から引き出された状態において、操作部７５と連動することで、掛止部７４に引っ掛かるロック位置と、掛止部７４から外れるアンロック位置との間で移動可能である。被掛止部７６は、掛止部７４に引っ掛けられる、断面円弧状の被掛止面７６０を備える。以下、この特徴を有するキャビネット２を第１の態様のキャビネット２という。
【０１２２】
また、前記実施形態の化粧台は、以下に示す特徴を有する。化粧台は、足置き収納部３６、足置き３７及びロック機構７３を備える。足置き３７は、足置き収納部３６に引出可能に設けられる。ロック機構７３は、足置き収納部３６から引き出された足置き３７が、引出方向と反対方向に移動することを規制する。ロック機構７３は、掛止部７４、操作部７５及び被掛止部７６を備える。掛止部７４は足置き収納部３６に設けられる。操作部７５は足置き３７に対して変位可能に設けられる。被掛止部７６は、足置き３７が足置き収納部３６から引き出された状態において、操作部７５と連動することで、掛止部７４に引っ掛かるロック位置と、掛止部７４から外れるアンロック位置との間で移動可能である。被掛止部７６は、掛止部７４に引っ掛けられる断面円弧状の被掛止面７６０を備える。以下、この特徴を有する化粧台を第１の態様の化粧台という。
【０１２３】
第１の態様のキャビネット２及び第１の態様の化粧台にあっては、被掛止部７６がロック位置に動かされることで、被掛止部７６が掛止部７４に引っ掛けられて、足置き３７が引出方向と反対方向に移動することが規制される。このため、例えば利用者が足置き３７に足を置いた状態で利用者から足置き３７に荷重が加わっても、足置き３７が引出方向と反対方向に移動し難くなる。従って、足置き３７の使い勝手がよくなる。また、操作部７５が操作される等して、被掛止部７６がアンロック位置に動かされると、被掛止部７６が掛止部７４から外れて、足置き３７の移動の規制が解除される。これにより、足置き３７を足置き収納部３６に収納することが可能になる。
【０１２４】
また、被掛止部７６は、掛止部７４に引っ掛けられる断面円弧状の被掛止面７６０を備える。このため、被掛止部７６が、掛止部７４等の他の部分に接した状態で移動したときにおける摩擦抵抗を小さくすることができ、また、被掛止部７６は掛止部７４等の他の部分に対して引っ掛かり難くなる。このため、被掛止部７６がスムーズに動きやすくなり、ロック機構７３による足置き３７の移動の規制とこの規制の解除をスムーズに行うことが可能になる。
【０１２５】
また、第１の態様の化粧台にあっては、利用者はペディキュアをしたり、脚にボディクリームを塗ったりする際に足置き３７を利用することができる。
【０１２６】
また、前記実施形態のキャビネット２は、第１の態様のキャビネット２が有する特徴に加えて、以下に示す付加的な特徴を有する。掛止部７４は断面直線状で引出方向を向いた掛止面８０を備える。被掛止部７６がロック位置からアンロック位置まで移動したとき、被掛止面７６０は掛止面８０に沿って移動する。以下、このキャビネット２を第２の態様のキャビネット２という。
【０１２７】
第２の態様のキャビネット２は、被掛止部７６が掛止面８０に沿って移動するときに、被掛止部７６の掛止面８０に対する摩擦抵抗を小さくすることができ、これにより、被掛止部７６がスムーズに動きやすくなる。
【０１２８】
また、前記実施形態のキャビネット２は、第１又は第２の態様のキャビネット２が有する特徴に加えて、以下に示す付加的な特徴を有する。被掛止部７６は、断面円形の外周面を備える。この外周面は、被係止面７６０を含む。被掛止部７６は、足置き３７が足置き収納部３６から引き出されるときに、前記外周面が掛止部７４に当たって、アンロック位置に案内される。以下、この特徴を有するキャビネット２を第３の態様のキャビネット２という。
【０１２９】
第３の態様のキャビネット２は、足置き３７が足置き収納部３６から引き出されたときに、被掛止部７６が掛止部７４によりアンロック位置に案内される。また、このとき、掛止部７４に接触する被掛止部７６の外周面は、断面円形であるため、被掛止面７６０は掛止面８０に対して線接触しやすくなる。従って、各被被掛止部７６はスムーズに移動しやすくなる。
【０１３０】
また、前記実施形態のキャビネット２は、第１又は第２の態様のキャビネット２が有する特徴に加えて、以下に示す付加的な特徴を有する。足置き３７は、前記引出方向を前方としたときに、前下がりの足置き面５０を備える。以下、このキャビネット２を第４の態様のキャビネット２という。
【０１３１】
第３の態様のキャビネット２にあっては、利用者は、例えば椅子１１に座り、足を足置き３７に足先が踵よりも上方に位置するように置くことで、足側に体重をかけて体に負担の少ない前傾姿勢で座ることができる。
【０１３２】
また、前記実施形態の化粧台は、第１の態様の化粧台が有する特徴に加えて、以下に示す付加的な特徴を有する。化粧台は洗面ボウル３０を備える。足置き収納部３６は、洗面ボウル３０よりも下方に位置する。以下、この特徴を有する化粧台を、第２の態様の化粧台という。
【０１３３】
第２の態様の化粧台は、洗面ボウル３０を備えるため、洗面化粧台として利用することができる。
【符号の説明】
【０１３４】
２  キャビネット（化粧台）
３０  洗面ボウル
３６  足置き収納部
３７  足置き
５０  足置き面
７３  ロック機構
７４  掛止部
７５  操作部
７６  被掛止部
７６０  被掛止面
８０  掛止面
【図１】
2019037593.tif 000003
【図２】
2019037593.tif 000004
【図３】
2019037593.tif 000005
【図４】
2019037593.tif 000006
【図５】
2019037593.tif 000007